(57)【要約】【課題】ユーザによる手作業による風向調整部材の清掃が容易で、清掃作業中の不具合の発生を防止する。【解決手段】吹出口１６から吹き出される空気の上下の風向を調整する風向調整部材１４、１７、風向調整部材１４、１７を駆動する駆動部材１５、１８、及び、駆動部材１５、１８を駆動制御する制御部８を備える。室内機１と一体又は別体で設けられ、制御部８に風向調整部材１４、１７についてのメンテナンス信号及びメンテナンス解除信号を含む制御信号を送信する操作部２３とを備える。制御部８は、操作部２３からメンテナンス信号を受信することにより、駆動部材１５、１８を駆動制御して風向調整部材１４、１７をメンテナンス用開放位置に移動させるメンテナンス処理を実行し、メンテナンス処理を解除するメンテナンス解除信号以外の制御信号による制御を実行しない。【選択図】図１
2020067257.tif 000002
【特許請求の範囲】
【請求項１】
吹出口（１６）から吹き出される空気の上下の風向を調整する風向調整部材（１４、１７）、前記風向調整部材（１４、１７）を駆動する駆動部材（１５、１８）、及び、前記駆動部材（１５、１８）を駆動制御する制御部（８）を備えた室内機（１）と、
前記室内機（１）と一体又は別体で設けられ、前記制御部（８）に風向調整部材についてのメンテナンスメンテナンス信号及びメンテナンス解除信号を含む制御信号を送信する操作部（２３）と、
を備えた空気調和機であって、
前記制御部（８）は、前記操作部（２３）からメンテナンス信号を受信することにより、前記駆動部材（１５、１８）を駆動制御して前記風向調整部材（１４、１７）をメンテナンス用開放位置に移動させるメンテナンス処理を実行し、前記メンテナンス処理を解除するメンテナンス解除信号以外の制御による制御を実行しない、空気調和機。
【請求項２】
前記メンテナンス処理を実行中であることを表示する表示部（２２）をさらに備える、請求項１に記載の空気調和機。
【請求項３】
前記制御部（８）は、前記メンテナンス信号を受信することにより、実行中の他の処理を中止し、少なくとも室内ファン（２０）を停止した後、前記メンテナンス処理を実行する、請求項１又は２に記載の空気調和機。
【請求項４】
前記風向調整部材（１４、１７）は、第１風向調整部材（１７）と、前記第１風向調整部材（１７）よりも上方側に配置される第２風向調整部材（１４）とからなり、
前記制御部（８）は、前記メンテナンス処理において前記第２風向調整部材（１４）に比べて前記第１風向調整部材（１７）の開度が大きくなるように前記駆動部材を駆動制御する、請求項１から３のいずれか１項に記載の空気調和機。
【請求項５】
前記操作部（２３）はリモコン（３）に設けられ、
前記表示部（２２）は、前記リモコン（３）に設けた表示画面（２２）であり、
前記表示画面には、前記操作部（２３）の操作によって表示されたメニュー画面に設定可能なモードを切替可能に表示し、前記モードには、前記メンテナンス処理を実行するためのメンテナンスモードが含まれる、請求項１から４のいずれか１項に記載の空気調和機。
【請求項６】
前記操作部（２３）は決定ボタン（２９）を有し、
前記表示画面（２２）に、メニュー画面として前記メンテナンスモードを表示した状態で、前記決定ボタン（２９）を操作することにより、前記メンテナンスモードを確定すると共に、ユーザに次の操作方法を示す表示を行い、
前記次の操作方法に従って操作した場合にのみ、前記メンテナンス信号を送信する、請求項５に記載の空気調和機。
【請求項７】
前記メンテナンス信号の送信後、前記表示画面（２２）に、前記メンテナンス処理を解除する際の解除操作方法を表示する、請求項６に記載の空気調和機。
【請求項８】
前記解除操作方法に従って操作した場合にのみ、前記メンテナンス処理を解除するメンテナンス解除信号を送信する、請求項７に記載の空気調和機。
【発明の詳細な説明】
【技術分野】
【０００１】
本開示は、空気調和機に関するものである。
【背景技術】
【０００２】
従来、空気調和機として、モータの駆動によりギアを介して上下風向調整板を回動させるようにした空調室内機を備えたものが公知である（例えば、特許文献１参照）。
【０００３】
前記従来の空気調和機では、上下風向調整板に付着した埃や結露水をユーザが布等により手作業で拭き取る清掃作業を行う場合、室内ファンが駆動したままの状態で、布等が巻き込まれる恐れがある。また、風向調整板を自動で回動させる構成であれば、清掃作業時に手動で開放させるのが困難である。
【先行技術文献】
【特許文献】
【０００４】
【特許文献１】特開２００２−７１２０６号公報
【発明の概要】
【発明が解決しようとする課題】
【０００５】
本開示は、ユーザによる手作業による風向調整部材の清掃が容易で、清掃作業中の不具合の発生を防止できる空気調和機を提供することを課題とする。
【課題を解決するための手段】
【０００６】
本開示は、
吹出口から吹き出される空気の上下の風向を調整する風向調整部材、前記風向調整部材を駆動する駆動部材、及び、前記駆動部材を駆動制御する制御部を備えた室内機と、
前記室内機と一体又は別体で設けられ、前記制御部に風向調整部材についてのメンテナンス信号及びメンテナンス解除信号を含む制御信号を送信する操作部と、
を備えた空気調和機であって、
前記制御部は、前記操作部からメンテナンス信号を受信することにより、前記駆動部材を駆動制御して前記風向調整部材をメンテナンス用開放位置に移動させるメンテナンス処理を実行し、前記メンテナンス処理を解除するメンテナンス解除信号以外の制御信号による制御を実行しない、空気調和機を提供する。
【０００７】
この構成により、ユーザによる手作業による風向調整部材の清掃が容易で、清掃作業中の不具合の発生を防止できる。
【０００８】
前記メンテナンス処理を実行中であることを表示する表示部をさらに備えるのが好ましい。
【０００９】
この構成により、ユーザは表示部を見れば、メンテナンス処理が開始されていることを把握できる。
【００１０】
前記制御部は、前記メンテナンス信号を受信することにより、実行中の他の処理を中止し、少なくとも室内ファンを停止した後、前記メンテナンス処理を実行するのが好ましい。
【００１１】
この構成により、室内ファンが駆動して風向調整部材に付着した結露を拭き取るために使用した布等が巻き込まれるといった不具合の発生を確実に防止できる。
【００１２】
前記風向調整部材は、第１風向調整部材と、前記第１風向調整部材よりも上方側に配置される第２風向調整部材とからなり、
前記制御部は、前記メンテナンス処理において前記第２風向調整部材に比べて前記第１風向調整部材の開度が大きくなるように前記駆動部材を駆動制御するのが好ましい。
【００１３】
この構成により、ユーザによる風向調整部材の拭き取り作業をより一層容易に行うことができる。
【００１４】
前記操作部はリモコンに設けられ、
前記表示部は、前記リモコンに設けた表示画面であり、
前記表示画面には、前記操作部の操作によって表示されたメニュー画面に設定可能なモードを切替可能に表示し、前記モードには、前記メンテナンス処理を実行するためのメンテナンスモードが含まれるのが好ましい。
【００１５】
この構成により、ユーザは表示部での表示画面に従って操作していくだけで、メンテナンスモード処理を実行できる。
【００１６】
前記操作部は決定ボタンを有し、
前記表示画面に、メニュー画面として前記メンテナンスモードを表示した状態で、前記決定ボタンを操作することにより、前記メンテナンスモードを確定すると共に、ユーザに次の操作方法を示す表示を行い、
前記次の操作方法に従って操作した場合にのみ、前記メンテナンス信号を送信するのが好ましい。
【００１７】
この構成により、誤操作によりメンテナンス処理が開始されてしまうことを防止できる。
【００１８】
前記メンテナンス信号の送信後、前記表示画面に、前記メンテナンス処理を解除する際の解除操作方法を表示するのが好ましい。
【００１９】
この構成により、ユーザは表示部での表示画面に従って操作していくだけで、メンテナンスモード処理を解除できる。
【００２０】
前記解除操作方法に従って操作した場合にのみ、前記メンテナンス処理を解除するメンテナンス解除信号を送信するのが好ましい。
【００２１】
この構成により、不用意にメンテナンス処理が解除されてしまうことを防止できる。
【図面の簡単な説明】
【００２２】
【図１】本実施形態に係る空気調和機のブロック図である。
【図２】図１に示す室内機の上フラップ及び下フラップが閉鎖位置に位置する状態を示す断面図である。
【図３】図１に示す室内機の上フラップ及び下フラップがメンテナンス用開放位置に位置する状態を示す断面図である。
【図４】図１に示すリモコンの正面図である。
【図５】図４に示すリモコンから蓋を取り外した状態を示す正面図である。
【図６】図４に示すリモコンでのメンテナンス開始処理を示すフローチャートである。
【図７】図１に示す制御部でのメンテナンス処理を示すフローチャートである。
【図８】図４に示すリモコンでのメンテナンス解除処理を示すフローチャートである。
【図９】図１に示す制御部でのメンテナンス解除処理を示すフローチャートである。
【図１０】図４に示すリモコンの表示画面の正面図である。
【図１１】図４に示すリモコンの表示画面の正面図である。
【図１２】図４に示すリモコンの表示画面の正面図である。
【図１３】図４に示すリモコンの表示画面の正面図である。
【発明を実施するための形態】
【００２３】
以下、実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも一致しない。
【００２４】
本実施形態に係る空気調和機は、図１に示すように、室内機１、室外機２及びリモコン３を備える。
【００２５】
室内機１では、図２に示すように、本体ケーシング４内に、室内熱交換器５、室内ファン６、フレーム７、制御部８（図１参照）等が収容されている。
【００２６】
本体ケーシング４は、上面部９、前面部１０、傾斜下面部１１、及び水平下面部１２を含む複数の面部により囲まれた、室内熱交換器５等を収容するための内部空間を備える。
【００２７】
前面部１０は、ほぼ鉛直方向に延びる前面パネルで構成されている。前面パネルは上面部９に図示しない支軸を中心として回動可能に取り付けられている。前面パネルの回動は、図示しないモータの駆動により行われる。
【００２８】
上面部９は、後方から前面部１０側に向かって緩やかに下方に傾斜し、そこには図示しない吸込口が形成されている。
【００２９】
傾斜下面部１１は、図３に示すように、下面に上方に向かって窪んだ収容凹部１３を有する。傾斜下面部１１の下方側縁部は吹出口１６の一部を構成し、その近傍には風向調整部材の１つである上フラップ１４が支軸１４ａを中心として回動可能に取り付けられている。上フラップ１４の上面は中央部分が最も窪んだ湾曲面で構成されており、下面はほぼ平坦に形成されている。図示しないが、上フラップ１４の支軸１４ａの一端部には従動ギアが一体化されている。従動ギアには、複数の中間ギアを介して第１モータ１５の回転軸に一体化された駆動ギアが噛み合っている。これにより、第１モータ１５が正逆回転駆動すると、各ギアを介して上フラップ１４が回動する。
【００３０】
上フラップ１４は、収容凹部１３内に収容されて本体ケーシング４の下面の一部を構成する閉鎖位置（図２）と、他の位置（例えば、図３に示すメンテナンス用開放位置）とに回動し、各位置で第１モータ１５を停止することにより位置決めされる。すなわち、第１モータ１５を停止すれば、回転軸が回転不能となり、複数のギアが噛み合った状態であるので、上フラップ１４は手動によっては開放できなくなる。このため、本実施形態ではユーザが手作業により各フラップを清掃する場合、後述するように、第１モータ１５を駆動して上フラップ１４を回動させる必要がある。
【００３１】
水平下面部１２は、傾斜下面部１１との間に吹出口１６を形成する。水平下面部１２の前端部分すなわち吹出口１６の内縁近傍には支軸１７ａを中心として下フラップ１７が回動可能に取り付けられている。下フラップ１７は、第２モータ１８の駆動により回動するが、第２モータ１８の回転軸から下フラップ１７の支軸までの動力の伝達機構は、上フラップ１４と同様に、図示しない駆動ギア、複数の中間ギア及び従動ギアによって行われる。また下フラップ１７も、吹出口１６を閉鎖する閉鎖位置（図２）と、他の位置（例えば、図３に示すメンテナンス用開放位置）とに回動し、各位置で第２モータ１８を停止することにより位置決めされる。但し、下フラップ１７のメンテナンス用開放位置は、上フラップ１４に比べて閉鎖位置からの回動角度が大きくなるように設定されている。ここでは、上フラップ１４のメンテナンス用開放位置を次のように設定している。すなわち、上フラップ１４の回転中心と先端位置を結ぶ直線と、水平面との成す角度θ１が例えば、約１８°となるように設定されている。また、下フラップ１７のメンテナンス用開放位置は次のように設定している。すなわち、下フラップ１７の回転中心と先端位置を結ぶ直線と、水平面との成す角度θ２が例えば、約３２°となるように設定されている。つまり、メンテナンス用開放位置では、上フラップ１４の下面と、下フラップ１７の上面とが平行ではなく、先端に向かって徐々に広がることになる。
【００３２】
室内熱交換器５は、図２中、略Ｃ字状に配置されており、内部を熱交換媒体が流動することにより、外部を通過する空気との間で熱交換を行う。室内熱交換器５は、後述するフレーム７に取り付けられている。
【００３３】
室内ファン６は、クロスフローファンであり、後述するフレーム７に回転可能に取り付けられている。室内ファン６は、図示しないモータを駆動することにより回転し、吸込口から室内の空気を吸い込み、室内熱交換器５で熱交換媒体との熱交換を行った後、吹出口１６から室内へと吹き出す。
【００３４】
フレーム７は、吸込口の内側で本体ケーシング４に固定され、室内熱交換器５から延びる吹出流路の一部を構成する。フレーム７には、室内熱交換器５と室内ファン６とがそれぞれ固定されている。
【００３５】
制御部８は、傾斜下面部１１の上方側に配置され、操作部の一例であるリモコン３の操作に基づいて、室内ファン６の回転制御、上フラップ１４及び下フラップ１７の回動制御等を行う。
【００３６】
室外機２は、圧縮機１９、室外ファン２０、室外熱交換器２１、等を備える。室外機２は、従来同様の構成であり、ここでの説明は省略する。
【００３７】
リモコン３は、図４に示すように、表示画面２２と複数の操作ボタン２３を備える。表示画面２２には、操作ボタン２３の操作に応じて空調状態が表示される。操作ボタン２３は、空調制御を行うための一般的な設定を行うための各種ボタン（第１ボタン群２４）で構成されている。リモコン３の下半部には蓋２５が設けられ、蓋２５を開放すると、図５に示すように、普段は使用しない、さらに詳細な設定を行うための各種ボタン（第２ボタン群２６）が設けられている。第２ボタン群２６には、本実施形態の操作部として機能する「メニュー」ボタン２７、「矢印」ボタン２８、「決定」ボタン２９、「終了／取消」ボタン３０が含まれる。
【００３８】
次に、前記構成からなる空気調和機の動作について説明する。
【００３９】
本実施形態に係る空気調和機は、メンテナンス処理での各部材の動作に特徴があるため、他の空調処理についてはその説明を省略し、以下、メンテナンス処理についてのみ詳述する。
【００４０】
（リモコン３でのメンテナンス開始処理）
リモコン３でのメンテナンス開始処理では、図６のフローチャートに示すように、ユーザがリモコン３の下方側の蓋２５を開放して、「メニュー」ボタン２７が操作されたことが検出されれば（ステップＳ１）、メニューモードを開始して表示画面２２に所定のメニュー内容を表示する（ステップＳ２）。メニューモードでは、表示画面２２の中央部に複数あるメニュー（ここでは、７つ）のうちの１つ（初期メニュー）を表示する。また、表示画面２２の上方側には上向きの矢印「▲」、表示画面２２の下方側には下向きの矢印「▼」を表示する。「終了／取消」ボタン３０が操作されるか（ステップＳ３）、あるいは、所定時間、次の操作がなければ（ステップＳ４）、メニューモードを終了する（ステップＳ５）。「矢印」ボタン２８が操作されれば（ステップＳ６）、中央に表示されるメニューを変更する（ステップＳ７）。メニューの表示を１つのみとして、上下に矢印を表示させることで、小さい表示画面２２（表示される文字を自由に変更できる表示変更領域２２ａは、図４中、「除湿暖房」と表示されたと上方側の一部である）での表示に対応している。
【００４１】
メニューモードでの「矢印」ボタン２８の操作により、中央に表示されるメニューが図１０に示す「お手入れ」の文字に変更された状態で、「決定」ボタン２９が操作されれば（ステップＳ８）、表示をメンテナンスモードを示す「お手入れ」から、図１１の次の操作方法を示す「決定２秒押しで設定」に変更する（ステップＳ９）。この状態で、「決定」ボタン２９が２秒以上押込操作されれば（ステップＳ１０）、メンテナンス処理のためのメンテナンス信号を、リモコン３から室内機１の制御部８に送信する（ステップＳ１１）。「決定２秒押しで設定」の文字を表示することで、ユーザに、次にどのような操作を行えばよいのかを知らせることができる。また、所定時間、ボタンの押込操作を継続させることで、ユーザに、メンテナンス処理を実行しようとしていることを意識させて、誤操作を防止することができる。表示画面２２では、図１２に示すように、「お手入れ」と「解除：メニュー」の文字を上下２段で表示したものに変更する（ステップＳ１２）。このとき、「解除：メニュー」の文字をハイライト表示し、ユーザに、現在、メンテナンス処理中であり、メンテナンス処理を解除する場合には「メニュー」ボタン２７を操作すべきであることを報知する。そして、この画面が表示されている間は、他の操作ボタン２３による操作を受け付けないようにする。
【００４２】
（室内機１でのメンテナンス処理）
制御部８では、図７のフローチャートに示すように、リモコン３からメンテナンス信号を受信すれば（ステップＳ２１）、少なくとも室内ファン６が停止しているか否かを判断する（ステップＳ２２）。室内ファン６が停止していれば、そのままステップＳ２４に移行し、停止していなければ、室内ファン６の駆動を停止する（ステップＳ２３）。ここでは、圧縮機１９及び室外ファン２０の駆動も停止し、空調を停止した状態としている。そして、第１モータ１５及び第２モータ１８を駆動し、上フラップ１４及び下フラップ１７を一旦、閉鎖位置へと回動させる（ステップＳ２４）。つまり、上フラップ１４及び下フラップ１７の回動位置をリセットする。続いて、第１モータ１５及び第２モータ１８を駆動し、上フラップ１４及び下フラップ１７をメンテナンス用開放位置へと回動させる(ステップＳ２５）。上フラップ１４及び下フラップ１７がメンテナンス用開放位置まで回動したか否かは、第１モータ１５及び第２モータ１８にそれぞれ設けたエンコーダ（図示せず）により行う。上フラップ１４及び下フラップ１７の回動位置をリセットしているのは、このエンコーダによる測定を正確に行うためである。その後、上フラップ１４及び下フラップ１７がメンテナンス用開放位置まで回動したと判断すれば（ステップＳ２６）、第１モータ１５及び第２モータ１８の駆動を停止し（ステップＳ２７）、上フラップ１４及び下フラップ１７を回動不能な状態とする。
【００４３】
上フラップ１４及び下フラップ１７がメンテナンス用開放位置に位置決めされれば、ユーザは布等を使用して上フラップ１４に下フラップ１７に付着した結露水等を拭き取ることができる。上フラップ１４と下フラップ１７とは平行ではなく、先端側が広がった状態で位置決めされている。したがって、ユーザは各フラップの拭き取りによる清掃作業がしやすい。
【００４４】
お手入れ処理を解除する場合、次のようにして解除処理を実行する。
【００４５】
（リモコン３でのメンテナンス解除処理）
リモコン３の表示画面２２には、「お手入れ」及び「解除：メニュー」の文字が上下２段で表示され、「解除：メニュー」の文字がハイライト表示されている。リモコン３でのメンテナンス解除処理では、図８のフローチャートに示すように、「メニュー」ボタン２７が操作されたか否かを判断する（ステップＳ３１）。「メニュー」ボタン２７が操作されれば、表示された文字を「お手入れ  解除：メニュー」から図１３に示す「決定２秒押しで解除」に変更する（ステップＳ３２）。この状態で、「決定」ボタン２９が２秒以上長押されれば（ステップＳ３３）、メンテナンス処理を解除するメンテナンス解除信号を室内機１の制御部８へと送信する（ステップＳ３４）。また、表示画面２２を何も表示されていないオフ状態とする（ステップＳ３５）。
【００４６】
（室内機１でのメンテナンス解除処理）
制御部８では、図９のフローチャートに示すように、リモコン３からお手入れ解除信号を受信すれば（ステップＳ４１）、第１モータ１５及び第２モータ１８を駆動して上フラップ１４及び下フラップ１７をお手入れ用開放位置から閉鎖位置へと回動させる（ステップＳ４２）。この状態では、前述のように、全ての駆動部分が停止しているので、次にリモコン３が操作されるまで空気調和機は運転を停止したままとなる。
【００４７】
このように、一旦、お手入れ処理に移行すれば、リモコン３を操作しようとしても、前述の解除処理が実行されない限り、他の操作ボタン２３を操作しても空調処理が開始されることはない。したがって、ユーザが上フラップ１４及び下フラップ１７の拭き取り作業中に誤操作で、例えば、室内ファン６が駆動して布等が巻き込まれる等の不具合が発生することはない。
【００４８】
なお、メンテナンス処理を実行する場合、「暖房」「冷房」「除湿」等の空調が実行されている場合、これら空調を強制的に停止するようにしたが、少なくとも室内ファン６を停止するだけとしてもよい。
【００４９】
また、メンテナンス処理は高温防止設定中であっても実行するようにすればよい。ここに、高温防止とは、「お知らせモード」と「強制運転モード」を意味する。「お知らせモード」とは、室内温度及び室内湿度が所定範囲外の危険ゾーンである場合、運転開始又は運転内容の変更を促す内容を自動的に音声で報知するモードである。「強制運転モード」とは、室内温度及び室内湿度が所定範囲外の危険ゾーンである場合、運転開始又は運転内容の変更を強制的に実行するモードである。高温防止設定中にメンテナンス処理を実行した場合、メンテナンス処理が終了すれば、再度、高温防止設定中に復帰し、表示画面２２にその旨を表示するようにすればよい。
【００５０】
また、リモコン３で「入タイマ」又は「切タイマ」を設定した場合、メンテナンス処理中に「入タイマ」又は「切タイマ」がタイムアップすれば、タイムアップ処理自体は実行するが、空気調和機の運転を開始又は停止させるための信号は送信しないようにすればよい。
【００５１】
本開示の空気調和機は、前記実施形態に記載された構成に限定されるものではなく、種々の変更が可能である。
【００５２】
前記実施形態では、操作部をリモコン３に設けた各種ボタンで構成するようにしたが、室外機２に直接設けることもできる。この場合、前面パネルを回動させて露出させた部分に操作部を設けることができる。この位置に設けた操作部は通常、操作されることはないため、リモコン３の場合のような複雑なボタン操作とする必要はない。したがって、お手入れボタンと、これを解除する解除ボタン、あるいは、お手入れボタンのみでオン、オフさせるもの等のシンプルな構成とすることができる。なお、このようなボタンによってメンテナンス処理が開始されれば、リモコン３による操作は一切受け付けないようにするのは、前記実施形態と同様である。
【００５３】
前記実施形態では、「決定」ボタン２９を２秒以上長押しすることにより、メンテナンス処理の開始及び解除を行うようにしたが、時間は自由に設定できる。また、「決定」ボタン２９を複数回操作することにより行うことも可能である。要は、ユーザがリモコン３で通常行わないような操作（非通常操作）によって行うようにすればよい。
【符号の説明】
【００５４】
１…室内機
２…室外機
３…リモコン
４…本体ケーシング
５…室内熱交換器
６…室内ファン
７…フレーム
８…制御部
９…上面部
１０…前面部
１１…傾斜下面部
１２…水平下面部
１３…収容凹部
１４…上フラップ（第２風向調整部材）
１５…第１モータ（駆動部材）
１６…吹出口
１７…下フラップ（第１風向調整部材）
１８…第２モータ（駆動部材）
１９…圧縮機
２０…室外ファン
２１…室外熱交換器
２２…表示画面
２３…操作ボタン（操作部）
２４…第１ボタン群
２５…蓋
２６…第２ボタン群
２７…「メニュー」ボタン
２８…「矢印」ボタン
２９…「決定」ボタン
３０…「終了／取消」ボタン
【図１】
2020067257.tif 000003
【図２】
2020067257.tif 000004
【図３】
2020067257.tif 000005
【図４】
2020067257.tif 000006
【図５】
2020067257.tif 000007
【図６】
2020067257.tif 000008
【図７】
2020067257.tif 000009
【図８】
2020067257.tif 000010
【図９】
2020067257.tif 000011
【図１０】
2020067257.tif 000012
【図１１】
2020067257.tif 000013
【図１２】
2020067257.tif 000014
【図１３】
2020067257.tif 000015
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
吹出口（１６）から吹き出される空気の上下の風向を調整する風向調整部材（１４、１７）、前記風向調整部材（１４、１７）を駆動する駆動部材（１５、１８）、及び、前記駆動部材（１５、１８）を駆動制御する制御部（８）を備えた室内機（１）と、
前記室内機（１）と一体又は別体で設けられ、前記制御部（８）に風向調整部材についてのメンテナンス信号及びメンテナンス解除信号を含む制御信号を送信する操作部（２３）と、
を備えた空気調和機であって、
前記制御部（８）は、前記操作部（２３）からメンテナンス信号を受信することにより、前記駆動部材（１５、１８）を駆動制御して前記風向調整部材（１４、１７）をメンテナンス用開放位置に移動させるメンテナンス処理を実行し、前記メンテナンス処理を解除するメンテナンス解除信号以外の制御による制御を実行しない、空気調和機。
【請求項２】
前記メンテナンス処理を実行中であることを表示する表示部（２２）をさらに備える、請求項１に記載の空気調和機。
【請求項３】
前記制御部（８）は、前記メンテナンス信号を受信することにより、実行中の他の処理を中止し、少なくとも室内ファン（６）を停止した後、前記メンテナンス処理を実行する、請求項１又は２に記載の空気調和機。
【請求項４】
前記風向調整部材（１４、１７）は、第１風向調整部材（１７）と、前記第１風向調整部材（１７）よりも上方側に配置される第２風向調整部材（１４）とからなり、
前記制御部（８）は、前記メンテナンス処理において前記第２風向調整部材（１４）に比べて前記第１風向調整部材（１７）の開度が大きくなるように前記駆動部材を駆動制御する、請求項１から３のいずれか１項に記載の空気調和機。
【請求項５】
前記操作部（２３）はリモコン（３）に設けられ、
前記表示部（２２）は、前記リモコン（３）に設けた表示画面（２２）であり、
前記表示画面には、前記操作部（２３）の操作によって表示されたメニュー画面に設定可能なモードを切替可能に表示し、前記モードには、前記メンテナンス処理を実行するためのメンテナンスモードが含まれる、請求項２に記載の空気調和機。
【請求項６】
前記操作部（２３）は決定ボタン（２９）を有し、
前記表示画面（２２）に、メニュー画面として前記メンテナンスモードを表示した状態で、前記決定ボタン（２９）を操作することにより、前記メンテナンスモードを確定すると共に、ユーザに次の操作方法を示す表示を行い、
前記次の操作方法に従って操作した場合にのみ、前記メンテナンス信号を送信する、請求項５に記載の空気調和機。
【請求項７】
前記メンテナンス信号の送信後、前記表示画面（２２）に、前記メンテナンス処理を解除する際の解除操作方法を表示する、請求項６に記載の空気調和機。
【請求項８】
前記解除操作方法に従って操作した場合にのみ、前記メンテナンス処理を解除するメンテナンス解除信号を送信する、請求項７に記載の空気調和機。